(57)【特許請求の範囲】
【請求項１】
ＯＬＥＤ発光ダイオードであって、
陰極と、発光層と、陽極と、基板と、光取り出し層とを備え、
前記発光層は、前記陰極と陽極との間に位置され、
前記基板は、前記陽極と光取り出し層との間に位置され、
前記光取り出し層の頂面と底面とが平面構造であり、前記光取り出し層は、少なくとも第１材料層と第２材料層とを備え、
前記第１材料層は、前記基板の上に位置され、
前記第２材料層は、前記第１材料層の上に位置され、
前記第１材料層と第２材料層とが、それぞれ、互いに接触している第１接触面と第２接触面とを有し、前記第１接触面と第２接触面との縦断面は、互いに嵌合している規則的な鋸歯状構造を呈し、前記第１材料層の屈折率ｎＡ、基板の屈折率ｎ基板及び第２材料層の屈折率ｎＢは、ｎＡ＞ｎ基板＞ｎＢの条件を満たし、
前記鋸歯状構造は、複数の同じ二等辺三角形で構成され、且つ前記第１材料層の二等辺三角形の底辺と前記基板の表面とが重ね合わせて配置され、
前記光取り出し層は、第３材料層をさらに備え、
前記第３材料層は、前記第２材料層の上に位置され、
前記第３材料層の屈折率ｎｃは、前記第２材料層の屈折率ｎＢより小さい、ＯＬＥＤ発光ダイオード。
【請求項２】
ＯＬＥＤ発光ダイオードであって、前記ＯＬＥＤ発光ダイオードは、陰極と、発光層と、陽極と、基板と、光取り出し層とを備え、前記発光層は、前記陰極と陽極との間に位置され、前記基板は、前記陽極と光取り出し層との間に位置され、前記光取り出し層の頂面と底面とが平面構造であり、前記光取り出し層は、少なくとも第１材料層と第２材料層とを備え、前記第１材料層は、前記基板の上に位置され、前記第２材料層は、前記第１材料層の上に位置され、前記第１材料層と第２材料層とが、それぞれ、互いに接触している第１接触面と第２接触面とを有し、前記第１接触面と第２接触面との縦断面は、互いに嵌合している規則的な鋸歯状構造状を呈し、前記第１材料層の屈折率ｎＡ、基板の屈折率ｎ基板及び第２材料層の屈折率ｎＢは、ｎＡ＞ｎ基板＞ｎＢの条件を満たし、
前記鋸歯状構造は、複数の同じ二等辺三角形で構成され、且つ前記第１材料層の二等辺三角形の底辺と前記基板の表面とが重ね合わせて配置され、
前記第１材料層の二等辺三角形の底角は、前記第１材料層の屈折率に応じて算出され、
前記光取り出し層は、第３材料層をさらに備え、前記第３材料層は、前記第２材料層の上に位置され、前記第３材料層の屈折率ｎｃは、前記第２材料層の屈折率ｎＢより小さい、ＯＬＥＤ発光ダイオード。
【請求項３】
前記第１材料層は、圧印加工により前記基板の上に形成される、請求項２に記載のＯＬＥＤ発光ダイオード。
【請求項４】
前記第２材料層は、塗布加工により前記第１材料層の上に形成され、前記第２材料層の頂面は、平面構造である、請求項２に記載のＯＬＥＤ発光ダイオード。
【請求項５】
前記第１材料層はポリカーボネートで製作されている、請求項２に記載のＯＬＥＤ発光ダイオード。
【請求項６】
前記ＯＬＥＤ発光ダイオードは、集光層をさらに備え、前記集光層は、前記基板と陽極との間に挟まれ、前記集光層と陽極とが、それぞれ、互いに接触している第３接触面と第４接触面とを有し、前記第３接触面と第４接触面との縦断面は、互いに嵌合している規則的な鋸歯状構造を呈し、前記集光層の屈折率ｎ１は、前記陽極の屈折率ｎ陽より大きい、請求項２に記載のＯＬＥＤ発光ダイオード。
【請求項７】
前記陽極には、化学気相成長法により前記集光層の上に堆積され、且つ前記基板の表面に隣接する前記集光層の面は平面構造である、請求項６に記載のＯＬＥＤ発光ダイオード。
【請求項８】
ＯＬＥＤ発光ダイオードを備える、ＯＬＥＤ表示装置であって、前記ＯＬＥＤ発光ダイオードは、陰極と、発光層と、陽極と、基板、光取り出し層とを備え、前記発光層は、前記陰極と陽極との間に位置され、前記基板は、前記陽極と光取り出し層との間に位置され、前記光取り出し層の頂面と底面とが平面構造であり、前記光取り出し層は、少なくとも第１材料層と第２材料層とを備え、前記第１材料層は、前記基板の上に位置され、前記第２材料層は、前記第１材料層の上に位置され、前記第１材料層と第２材料層とが、それぞれ、互いに接触している第１接触面と第２接触面とを有し、前記第１接触面と第２接触面の縦断面は、互いに嵌合している規則的な鋸歯状構造を呈し、前記第１材料層の屈折率ｎＡ、基板の屈折率ｎ基板及び第２材料層の屈折率ｎＢは、ｎＡ＞ｎ基板＞ｎＢの条件を満たし、
前記鋸歯状構造は、複数の同じの二等辺三角形で構成され、且つ前記第１材料層の二等辺三角形の底辺と前記基板の表面とが重ね合わせて配置され、
前記第１材料層の二等辺三角形の底角は、前記第１材料層の屈折率に応じて算出され、
前記光取り出し層は、第３材料層をさらに備え、前記第３材料層は、前記第２材料層の上に位置され、前記第３材料層の屈折率ｎｃは、前記第２材料層の屈折率ｎＢより小さい、ＯＬＥＤ表示装置。
【請求項９】
前記第１材料層は、圧印加工により前記基板の上に形成される、請求項８に記載のＯＬＥＤ表示装置。
【請求項１０】
前記第２材料層は、塗布により前記第１材料層の上に形成され、前記第２材料層の頂面は、平面構造である、請求項８に記載のＯＬＥＤ表示装置。
【請求項１１】
前記第１材料層はポリカーボネートで製作されている、請求項８に記載のＯＬＥＤ表示装置。
【請求項１２】
前記ＯＬＥＤ発光ダイオードは、集光層をさらに備え、前記集光層は、前記基板と陽極との間に挟まれ、前記集光層と陽極とが、それぞれ、互いに接触する第３接触面と第４接触面とを有し、前記第３接触面と第４接触面との縦断面は、互いに嵌合している規則的な鋸歯状構造を有し、前記集光層の屈折率ｎ１は、前記陽極の屈折率ｎ陽より大きい、請求項８に記載のＯＬＥＤ表示装置。
【請求項１３】
前記陽極には、化学気相成長法により前記集光層の上に堆積され、且つ前記基板の表面に隣接する前記集光層の面は平面構造である、請求項１２に記載のＯＬＥＤ表示装置。
【発明の詳細な説明】
【技術分野】
【０００１】
本発明は、ディスプレイの製造分野に関し、特にOLED発光ダイオード及び表示装置に関する。
【背景技術】
【０００２】
近年、OLED（有機発光ダイオード、Organic Light-Emitting Diode）は、自発光性、広い視野角、高応答速度、高コントラスト、低エネルギー消費、環境に優しい、長寿命、超薄型及びフレキシブルな表示構造などの利点を有するため、次世代の表示技術として広く注目されている。
【０００３】
図1に示すように、典型的なOLED発光ダイオードは、ガラス基板10、ITO（indium tin oxide、インジウム錫酸化物）陽極（Anode）20、有機発光層30（Emitting Material Layer）、及び陰極40（Cathode）などからなり、有機発光層30は、ITO陽極20と金属陰極40との間に挟まれるように設けられている。有機発光層30には、電圧印加により、陽極20から注入された正孔（Hole）と陰極40からの電子（Electron）とが結合することで励起された有機材料は、光A1を発光することができる。
【０００４】
しかしながら、ガラス基板10と空気との間にある表面層による反射及び屈折などの影響により、ほとんどの光A1は、OLED発光ダイオードの発光表面より出射することができず（図示せず）、発光表面の側面から出射されてしまう。これによって、OLEDの発光表面から出射できる光は、有機発光層30で生じられた光A1の全体に対して、低い割合（即ちOLED発光ダイオードの発光効率）であり、OLED発光ダイオードの発展に大きく制限されている。したがって、どのようにOLED発光ダイオードの発光効率を向上させるのは、重要な課題である。
【発明の概要】
【０００５】
本発明の目的は、既存のOLED発光ダイオードにおける低発光効率、輝度不十分な課題を解決できる、OLED発光ダイオード及び表示装置を提供することである。
【課題を解決するための手段】
【０００６】
上記の技術的な課題を解決するために、本発明は、OLED発光ダイオードを提供し、前記OLED発光ダイオードは、陰極と、発光層と、陽極と、基板と、光取り出し層とを備え、前記発光層は、前記陰極と陽極との間に位置され、前記基板は、前記陽極と光取り出し層との間に位置され、前記光取り出し層の頂面と底面とが平面構造であり、前記光取り出し層は、少なくとも第1材料層と第2材料層とを備え、前記第1材料層は、前記基板の上に位置され、前記第2材料層は、前記第1材料層の上に位置され、前記第1材料層と第2材料層とが、それぞれ、互いに接触している第1接触面と第2接触面とを有し、前記第1接触面と第2接触面との縦断面は、互いに嵌合している規側的な鋸歯状構造を呈し、前記第1材料層の屈折率nA、基板の屈折率n基板及び第2材料層の屈折率nBは、nA＞n基板＞nBの条件を満たし、
前記鋸歯状構造は、複数の同様な二等辺三角形で形成され、且つ前記第1材料層の二等辺三角形の底辺と前記基板の表面とが重ね合わせて位置され、
前記光取り出し層は、第3材料層をさらに備え、前記第3材料層は、前記第2材料層の上に位置され、前記第3材料層の屈折率ncは、前記第2材料層の屈折率nBより小さい。
【０００７】
さらに、前記第1材料層の二等辺三角形の底角は、前記第1材料層の屈折率に応じて算出される。
【０００８】
本発明は、OLED発光ダイオードをさらに提供し、前記OLED発光ダイオードは、陰極と、発光層と、陽極と、基板と、光取り出し層とを備え、前記発光層は、前記陰極と陽極との間に位置され、前記基板は、前記陽極と光取り出し層との間に位置され、前記光取り出し層の頂面と底面とが平面構造であり、前記光取り出し層は、少なくとも第1材料層と第2材料層とを備え、前記第1材料層は、前記基板の上に位置され、前記第2材料層は、前記第1材料層の上に位置され、前記第1材料層と第2材料層とが、それぞれ、互いに接触している第1接触面と第2接触面とを有し、前記第1接触面と第2接触面との縦断面は、互いに嵌合している規則的な鋸歯状構造を呈し、前記第1材料層の屈折率nA、基板の屈折率n基板及び第2材料層の屈折率nBは、nA＞n基板＞nBの条件を満たす。
【０００９】
さらに、前記鋸歯状構造は、複数の同じの二等辺三角形で構成され、且つ前記第1材料層の二等辺三角形の底辺と前記基板の表面とが重ね合わせて配置される。
【００１０】
さらに、前記第1材料層の二等辺三角形の底角は、前記第1材料層の屈折率に応じて算出される。
【００１１】
さらに、前記光取り出し層は、第3材料層をさらに備え、前記第3材料層は、前記第2材料層の上に位置され、前記第3材料層の屈折率ncは、前記第2材料層の屈折率nBより小さい。
【００１２】
さらに、前記第1材料層は、圧印加工により前記基板の上に形成される。
【００１３】
さらに、前記第2材料層は、塗布により前記第1材料層の上に形成される、前記第2材料層の頂面は、平面構造である。
【００１４】
さらに、前記第1材料層はポリカーボネートで作製されている。
【００１５】
さらに、前記OLED発光ダイオードは、集光層をさらに備え、前記集光層は、前記基板と陽極との間に挟まれ、前記集光層と陽極とが、それぞれ、互いに接触する第3接触面と第4接触面とを有し、前記第3接触面と第4接触面との縦断面は、互いに嵌合している規則の鋸歯状構造を有し、前記集光層の屈折率n1は、前記陽極の屈折率n陽より大きい。
さらに、前記陽極は、化学気相成長法により前記集光層の上に堆積され、且つ前記基板の表面に隣接する面は平面構造である。
【００１６】
本発明は、さらに、OLED表示装置を提供し、前記OLED表示装置は、OLED発光ダイオードと備え、前記OLED発光ダイオードは、陰極と、発光層と、陽極と、基板と、光取り出し層とを備え、前記発光層は、前記陰極と陽極との間に位置され、前記基板は、前記陽極と光取り出し層との間に位置され、前記光取り出し層の頂面と底面とが平面構造であり、前記光取り出し層は、少なくとも第1材料層と第2材料層とを備え、前記第1材料層は、前記基板の上に位置され、前記第2材料層は、前記第1材料層の上に位置され、前記第1材料層と第2材料層とが、それぞれ、互いに接触している第1接触面と第2接触面とを有し、前記第1接触面と第2接触面との縦断面は、互いに嵌合している規則的な鋸歯状構造を呈し、前記第1材料層の屈折率nA、基板の屈折率n基板及び第2材料層の屈折率nBは、nA＞n基板＞nBの条件を満たす。
【００１７】
さらに、前記鋸歯状構造は、複数の同じの二等辺三角形で構成され、且つ前記第1材料層の二等辺三角形の底辺と前記基板の表面とが重ね合わせて配置される。
【００１８】
さらに、前記第1材料層の二等辺三角形の底角は、前記第1材料層の屈折率に応じて算出される。
【００１９】
さらに、前記光取り出し層は、第3材料層をさらに備え、前記第3材料層は、前記第2材料層の上に位置され、前記第3材料層の屈折率ncは、前記第2材料層の屈折率nBより小さい。
【００２０】
さらに、前記第1材料層は、圧印加工により前記基板の上に形成される。
【００２１】
さらに、前記第2材料層は、塗布により前記第1材料層の上に形成される、前記第2材料層の頂面は、平面構造である。
【００２２】
さらに、前記第1材料層はポリカーボネートで作製されている。
【００２３】
さらに、前記OLED発光ダイオードは、集光層をさらに備え、前記集光層は、前記基板と陽極との間に挟まれ、前記集光層と陽極とが、それぞれ、互いに接触する第3接触面と第4接触面とを有し、前記第3接触面と第4接触面との縦断面は、互いに嵌合している規則的な鋸歯状構造を有し、前記集光層の屈折率n1は、前記陽極の屈折率n陽より大きい。
さらに、前記陽極は、化学気相成長法により前記集光層の上に堆積され、且つ前記基板の表面に隣接する面は平面構造である。
【００２４】
本発明の有益な効果は、本発明に係るOLED発光ダイオード及び表示装置が、基板において、第1接触面と第2接触面とを有する第1材料層と第2材料層とを設け、第1接触面と第2接触面との縦断面は、互いに嵌合している規則的な鋸歯状構造を有し、且つnA＞n基板＞nBの条件を満たすことによって、OLED発光ダイオードの側面からの光出射を低減し、OLED発光ダイオードの発光表面からの光出射を増加することができ、OLED発光ダイオードの発光効率を向上させることができる。
【図面の簡単な説明】
【００２５】
【図１】図1は既存の技術で光がOLED発光ダイオード内に伝送される経路を示す図である。
【図２】図2は本発明の第1実施例における光がOLED発光ダイオード内に伝送される経路を示す図である。
【図３】図3は本発明第2実施例における光がOLED発光ダイオード内に伝送される経路を示す図である。
【図４】図4は本発明第3実施例における光がOLED発光ダイオード内に伝送される経路を示す図である。
【発明を実施するための形態】
【００２６】
本発明による技術的問題を解決するために、本発明の技術的解決策および有益な効果は、添付の図面を参照しながらより詳しく説明する。本明細書に記載された特定の実施形態は、単に本発明を説明するためのものであり、本発明を限定するものではないことを理解されたい。
【００２７】
図2に示すように、本発明は、OLED発光ダイオードを提供し、前記OLED発光ダイオードの一つの好ましい実施形態は、陰極1と、発光層2と、陽極3と、基板4及び光取り出し層5とを備え、発光層2は、陰極1と陽極3との間に位置され、基板4は、陽極3と光取り出し層5との間に位置される。光取り出し層5の頂面と底面とが、平面構造であり、前記光取り出し層は、少なくとも第1材料層51と第2材料層52とを備える。第1材料層51は、基板4の上に位置され、第2材料層52は、第1材料層51の上に位置され、第1材料層51と第2材料層52とは、互いに接触している第1接触面511と第2接触面521とを有し、第1接触面511と第2接触面521との縦断面は、互いに嵌合している規則的な鋸歯状構造を呈する。第1材料層51の屈折率nA、基板4の屈折率n基板及び第2材料層52の屈折率nBは、nA＞n基板＞nBの条件を満たす。ここで、nA：n基板＝sinβ1：sinβ2、nA：nB＝sinβ4：sinβ3であり、β1とβ2とは、それぞれ、光B1が基板4から第1材料層51に入射する入射角と屈折角であり、β3和β4は、それぞれ、光B1が第1材料層51から第2材料層52に入射する入射角と屈折角である。
【００２８】
本実施例において、前記鋸歯状構造は、複数の同じ二等辺三角形で構成され、且つ第1材料層51での二等辺三角形の底辺と基板4の表面とが重ね合わせて配置され、その底角θは、第1材料層51の屈折率に応じて算出される。基板4は、ガラス板又は石英基板であり、その屈折率は1．52〜1．53である。第1材料層51は、ポリカーボネートで作製され、その屈折率は1．58〜1．59であり、透過率は90％より大きい。第2材料層52は、ポリメチルメタクリレートで作製され、その屈折率は1．49であり、透過率は92％より大きい。
【００２９】
製造過程においては、まず、RFスパッタリングにより陽極3を、表面が洗浄された基板4に堆積させ、前記陽極3の表面を平坦化にする。ここでの陽極3材料は、インジウム錫酸化物（ITO）である。そして、陽極3には、真空蒸着により発光層2と陰極1とが形成され、前記発光層2は、発光効率の良い有機材料からなり、前記陰極1の材料は、通常、Agと、Alと、Mgとを含む。最後に、第1材料層51が、圧印加工により基板4に形成され、第2材料層52が、塗布加工により第1材料層51に重なって形成され、第2材料層52の頂面が平坦な面になるようにする。
【００３０】
電圧を陽極3と陰極1との間に印加すると、発光層2が励起され、光B1が生じる。光B1は、基板4を通して第1材料層51と第2材料層52とに入射して、第2材料層52より空気に出射する。第1材料層51と第2材料層52との接触面511、521の縦断面が互いに嵌合している規則的な鋸歯状構造を呈し、且つ第1材料層51の屈折率nA＞基板4の屈折率n基板＞第2材料層52の屈折率nBの条件を満たしているため、第1材料層51に入射する光B1の透過方向を、第2材料層52の中央に近付くように最大限に変化させることができる。
【００３１】
他の好ましい実施例において、光B1をさらに中央部に集光させるため、光取り出し層5は、第3材料層53をさらに備え、第3材料層53は、第2材料層52の上に位置され、その屈折率については、第3材料層53の屈折率nc＞第2材料層52の屈折率nBの条件を満たしている。図3に示すように、nB：nC＝sinβ6：sinβ5であり、ここで、β5とβ6とは、光B1が第2材料層52から第3材料層53に入射する入射角及び屈折角である。
【００３２】
他の好ましい実施例において、陽極3とガラス基板10との間にある表面層での反射及び屈折などの影響を抑え、フォトンが陽極3の側面から射出することを回避するために、OLED発光ダイオードは、集光層6をさらに備える。集光層6は、基板4と陽極3との間に挟まれ、集光層6と陽極3とは、互いに接触する第3接触面61と第4接触面31とを有し、第3接触面61と第4接触面31との縦断面は、互いに嵌合している規則的な鋸歯状構造を呈し、その屈折率については、集光層6の屈折率n1＞陽極3の屈折率n陽の条件を満たしている。本実施例において、陽極3が、化学気相成長法により集光層6の上に成膜され、且つ、図4に示されているように、基板4に隣接する表面が、平面構成である。集光層6は、高透過率、高屈折率の材料、例えば、ZnO、TiO2からなる。
【００３３】
さらに、本発明は、上述した実施例のOLED発光ダイオードを備えるOLED表示装置（図示せず）を提供する。前記表示装置は、デレビ、ディスプレイ、デジタルカメラ、携帯電話、及びタブレット（図示せず）などの表示機能を有する任意の製品及びデバイスである。
【００３４】
本発明の実施例における前記OLED発光ダイオード及び表示装置は、基板4上に、第1接触面511と第2接触面521とを有する第1材料層51と第2材料層52とが設けられ、且つ第1接触面511と第2接触面521との縦断面は、互いに嵌合している規則的な鋸歯状構造を呈する。また、その屈折率については、第1材料層51の屈折率nA＞基板4の屈折率n基板＞第2材料層52の屈折率nBの条件を満たす。これにより、光B1がOLED発光ダイオードの側面から射出することを低減し、OLED発光ダイオードの発光表面での光B1の出射率を増加させ、OLED発光ダイオードの発光効率を向上させることができる。
【００３５】
上記した内容は、本発明の好ましい実施形態であり、本発明は、これに限定されるものではない。本発明の精神および原理、均等な置換および改良等の範囲内でなされたいかなる変更も、本発明の範囲内に含まれるべきである。
【図１】
0006650522.tif 000002
【図２】
0006650522.tif 000003
【図３】
0006650522.tif 000004
【図４】
0006650522.tif 000005